(57)【要約】【課題】液体が固まるまでの時間を短縮する。【解決手段】パック２０は、うがい液Ｌｉ１を固めて廃棄するためのものである。具体的に、パック２０は、パック本体２１と、このパック本体２１に収容された吸水剤２３と、この吸水剤２３の下に配置されるように、パック本体２１に収容された発泡剤２４と、を備えている。そして、パック２０は、吸水剤２３及び発泡剤２４を包むと共に、パック本体２１の内側に固定される水溶紙２５、を備えている。吸水剤２３又は発泡剤２４は、パック本体２１の外側から摘めるように設けられている。【選択図】図３
2014121417.tif 000002
【特許請求の範囲】
【請求項１】
うがいに用いた水又は水溶液を固めて廃棄するための液体廃棄用容器であって、
容器本体と、
前記容器本体に収容された吸水剤と、
前記吸水剤の下に配置されるように、前記容器本体に収容された発泡剤と、を備えることを特徴とする、
液体廃棄用容器。
【請求項２】
前記吸水剤及び前記発泡剤を包むと共に、前記容器本体の内側に固定される水溶紙、を備えることを特徴とする、
請求項１に記載の液体廃棄用容器。
【請求項３】
前記吸水剤又は前記発泡剤は、前記容器本体の外側から摘めるように設けられていることを特徴とする、
請求項１又は２に記載の液体廃棄用容器。
【発明の詳細な説明】
【技術分野】
【０００１】
本発明は、うがいに用いた液体に用いられる液体廃棄用容器に関する。
【背景技術】
【０００２】
インフルエンザや風邪の予防として、うがいが行われている。うがいは、水等の液体を口に含み、喉をすすいで行われる。うがいを行った後の液体は吐き出される。このため、うがいは、洗面所等の上下水設備のある場所で行われることが多い。
【０００３】
また、携帯用うがい具を用いることで、上下水設備のない場所でもうがいを行うことができる（例えば、特許文献１参照）。携帯用うがい具は、うがい液を収容した給水容器と、吸水剤を収容した排水容器と、を備えている。利用者は、給水容器のうがい液でうがいを行い、排水容器に吐き出す。排水容器に吐き出されたうがい液は、吸水剤に吸収されて固まるので、そのまま排水容器ごとゴミ箱に捨てることが可能になる。
【先行技術文献】
【特許文献】
【０００４】
【特許文献１】特開２０１１−１２０７００号公報
【発明の概要】
【発明が解決しようとする課題】
【０００５】
しかしながら、上記の携帯用うがい具では、うがい液が固まるまで待たなければならず、不便であった。
【０００６】
本発明は、上記課題を鑑みてなされたものであり、液体が固まるまでの時間を短縮した液体廃棄用容器を提供することを目的とする。
【課題を解決するための手段】
【０００７】
（１）本発明は、うがいに用いた水又は水溶液を固めて廃棄するための液体廃棄用容器であって、容器本体と、前記容器本体に収容された吸水剤と、前記吸水剤の下に配置されるように、前記容器本体に収容された発泡剤と、を備えることを特徴とする、液体廃棄用容器である。
【０００８】
（２）本発明はまた、前記吸水剤及び前記発泡剤を包むと共に、前記容器本体の内側に固定される水溶紙、を備えることを特徴とする、上記（１）に記載の液体廃棄用容器である。
【０００９】
（３）本発明はまた、前記吸水剤又は前記発泡剤は、前記容器本体の外側から摘めるように設けられていることを特徴とする、上記（１）又は（２）に記載の液体廃棄用容器である。
【発明の効果】
【００１０】
本発明の上記（１）〜（３）のいずれかに記載の発明によれば、液体が固まるまでの時間を短縮できる。
【図面の簡単な説明】
【００１１】
【図１】本発明の実施形態に係るパック、及びチューブの外観図である。
【図２】チューブのキャップを覆うカバー、及び取扱説明書の外観図である。
【図３】パックの透視図である。
【図４】携帯用うがい具のパッケージ状態図である。
【発明を実施するための形態】
【００１２】
以下、図面を参照して、本発明の実施形態に係るパック２０について詳細に説明する。
【００１３】
図１〜図４を用いて、パック２０を備える携帯用うがい具１の構成について説明する。図１は、パック２０及びチューブ１０の外観図である。図２は、カバー３０及び取扱説明書４０の外観図である。図３は、パック２０の透視図である。図４は、携帯用うがい具１のパッケージ状態図である。なお、各図において、一部の構成を適宜省略して、図面を簡略化する。
【００１４】
図１〜図４に示される携帯用うがい具１は、洗面所等の上下水設備のない場所でうがいを行うことを可能にする。具体的に、携帯用うがい具１は、うがい液Ｌｉ１を収容したチューブ１０と、うがいを行った後のうがい液Ｌｉ１を吐き出すためのパック２０と、チューブ１０のキャップ１４を覆うカバー３０と、取扱説明書４０と、パッケージ用の外袋５０と、を備えている。
【００１５】
うがい液Ｌｉ１は、本実施形態では、清涼飲料規格の飲用水（蒸留水、ミネラルウェーター等）であるが、殺菌消毒用のうがい薬を飲用水に溶かしたものであってもよい。うがい薬は、その成分として、ポビドンヨード、塩化セチルピリジニウム、グルコン酸クロルヘキシジン、塩化ベンゼトニウム等を含むものが好ましい。
【００１６】
チューブ１０は、ポリプロピレン（ＰＰ）等の樹脂からなり、うがい液Ｌｉ１を密封する容器である。このチューブ１０には、１〜３回程度のうがいを行える量（例えば、４５ｇ）のうがい液Ｌｉ１が収容されている。そして、チューブ１０は、内容物であるうがい液Ｌｉ１が視認できるよう、透明又は半透明であることが好ましい。具体的に、チューブ１０は、円筒状のチューブ本体１１と、チューブ本体１１の基端に成型された尻尾１２と、チューブ本体１１の先端に成型されたくび１３と、このくび１３の先端に形成されたキャップ１４と、からなり、これらが一体に成型されている。
【００１７】
尻尾１２は、うがい液Ｌｉ１が充填された後に成型され、当該うがい液Ｌｉ１を密封する。くび１３は、やや扁平に成型された筒状であり、チューブ１０を開封する際に手指で摘む箇所である。このくび１３は、チューブ本体１１と比較して硬めに成型されており、開封時に手指で摘む程度の力を加えただけでは変形しない。キャップ１４は、手指で摘んでくび１３と相対的に回転させることで、くび１３からちぎれる。キャップ１４がちぎれることで開封され、うがい液Ｌｉ１を利用することが可能となる。
【００１８】
パック２０は、うがい液Ｌｉ１を固めて廃棄するための液体廃棄用容器である。このパック２０は、折り畳むことが可能であり、パッケージの状態では、最初から半分程度に折り畳まれている。また、パック２０は、うがい液Ｌｉ１が漏れない構造を有する。具体的に、パック２０は、パック本体２１と、このパック本体２１の前面に貼り付けられたラベル２２と、吸水剤２３と、発泡剤２４と、吸水剤２３及び発泡剤２４をパック本体２１に固定する水溶紙２５と、からなる。
【００１９】
パック本体２１は、２枚のフィルム加工紙２１ａ，２１ｂの縁（ハッチングで示される領域）が、接着剤等によりシールされた容器であり、上方に開口部（符号省略）が形成されている。このパック本体２１は、コーヒーフィルターを若干縦長にした様な形状を呈する。パック本体２１の開口部には、うがい液Ｌｉ１を吐き出す際に口が近付けられる。２枚のフィルム加工紙２１ａ，２１ｂは、紙（符号省略）にポリエチレン（ＰＥ）フィルム（符号省略）が圧着された紙であり、互いにポリエチレンフィルムが対面するように重ねられている。これら２枚のフィルム加工紙２１ａ，２１ｂは、防水性を有する。奥のフィルム加工紙２１ｂは、手前のフィルム加工紙２１ａと比較して大きく、うがい液Ｌｉ１を吐き出している口を隠す。
【００２０】
ラベル２２は、フィルム加工紙２１ａの前面に貼り付けられており、フィルム加工紙２１ａの側が、利用者から見て前面の側であることを示す。このラベル２２には、パック２０の使い方が印刷されている。具体的に、ラベル２２には、イラスト付きで、「この中にはきだせば水はかたまります  チューブにのこった水もこの中にいれて！  パックの下がわを３回かるくつまんで  アワがおさまると水はかたまります  パックを図のようにおりたたみ、再び外パッケージに入れれば、かばんやポケットにもいれられます。  パックはもえるゴミに他はプラゴミにすててください」と印刷されている。すなわち、パック２０は、ラベル２２に印刷されている方法で使うことが想定されたものである。
【００２１】
吸水剤２３は、パック本体２１に収容されている。この吸水剤２３は、高吸水ポリマー等の高吸水性高分子からなり、少なくとも、１本のチューブ１０に収容されているうがい液Ｌｉ１の全てを吸収できるだけの分量が準備されている。
【００２２】
発泡剤２４は、吸水剤２３の下に、当該吸水剤２３と分けて配置されるように、パック本体２１に収容されている。この発泡剤２４は、うがい液Ｌｉ１の水分に反応して発泡する。発泡剤２４は、例えば、炭酸水素ナトリウムを主成分とする。また、発泡剤２４には、香料（図示省略）が含まれている。これにより、発泡剤２４は、吐き出されたうがい液Ｌｉ１の臭いを包み隠す。
【００２３】
水溶紙２５は、吸水剤２３及び発泡剤２４を包む。そして、吸水剤２３及び発泡剤２４を包んだ水溶紙２５は、パック本体２１の内側に接着剤等により固定される。この水溶紙２５は、水に触れると瞬時に溶解する紙である。このため、水溶紙２５は、パック本体２１に吐き出されたうがい液Ｌｉ１によって溶解する。また、パック本体２１が軟らかい材質から構成されているので、水溶紙２５は、パック本体２１の外側から手指で摘めるように設けられている。すなわち、吸水剤２３及び発泡剤２４は、パック本体２１の外側から手指で摘めるように設けられている。なお、水溶紙２５は、不織布や網を採用する場合と比較して、包み込んだ吸水剤２３及び発泡剤２４が漏れ出てしまうことを防止する。
【００２４】
カバー３０は、紙で作られている。このカバー３０は、チューブ１０のキャップ１４を覆うことで、当該キャップ１４を衛生的なものとする。これにより、安心して利用することができるという心理的効果が期待できる。またカバー３０には、チューブ１０を取り扱う際の注意事項が印刷されている。具体的に、カバー３０の表面には、「キャップをかみちぎらないで！のみこむおそれがあります。」と印刷されている。また、カバー３０の裏面には、「小さなお子様やお年寄りには手でキャップをねじ切ってお渡しください。」と印刷されている。すなわち、チューブ１０は、カバー３０に印刷されている注意事項を守ることが想定されたものである。
【００２５】
取扱説明書４０は、１枚の紙切れである。この取扱説明書４０には、携帯用うがい具１の使い方が印刷されている。具体的に、取扱説明書４０には、イラスト付きで、「うがいキットのつかいかた  パッケージからチューブを出してチューブの「くび」をつかみキャップをあけます。  注！「くび」以外を持ってキャップ回すと中身がふきだします  取りはずしたキャップを誤って飲み込まないよう注意してください！  紙パックを出しせつめい文を自分にむけて開いておきます  チューブの中身をすって、うがいをします。中身は清涼飲料規格の飲用水です。飲む事もできます  「うがい」おわったら紙パックの中に捨ててください。  お口を紙パックに近づければ他人にお口は見えません安心してご利用ください。  続きは紙パックの説明をご覧ください」と印刷されている。すなわち、携帯用うがい具１は、取扱説明書４０に印刷されている方法で使うことが想定されたものである。
【００２６】
外袋５０は、ポリプロピレン（ＰＰ）等の透明な樹脂からなる外袋本体５１と、この外袋本体５１の背面（図４における手前側の面）に貼り付けられたラベル５２と、からなる。外袋本体５１には、カバー３０が被せられたチューブ１０、折り畳まれたパック２０、取扱説明書４０が封入されている。結果、パッケージ状態の携帯用うがい具１は、コンパクトで携帯性に優れている。取扱説明書４０は、外袋本体５１の前面（図４における奥側の面）に印字面を向けて封入されている。これにより、開封前の状態で、取扱説明書４０を視認させることができる。ラベル５２には、携帯用うがい具１の情報が印刷されている。具体的に、ラベル５２には、商品名、名称、原材料名、内容量、賞味期限、保存方法、販売者、ゴミの分別方法、注意事項等が印刷されている。
【００２７】
次に、パック２０の作用について説明する。
【００２８】
パック２０に吐き出されたうがい液Ｌｉ１は、水溶紙２５に触れて、当該水溶紙２５を瞬時に溶解する。この時、パック本体２１の外側から水溶紙２５を手指で軽く摘むことで、溶解効率が高まる。水溶紙２５に包まれていた吸水剤２３及び発泡剤２４は、水溶紙２５が溶解した結果、うがい液Ｌｉ１に浸される。うがい液Ｌｉ１の量が少ない場合であっても、少なくとも、下方に配置されている発泡剤２４は、うがい液Ｌｉ１に浸される。発泡剤２４は、うがい液Ｌｉ１に反応して発泡する。発泡剤２４による発泡は、うがい液Ｌｉ１を、下から吸水剤２３に向けて突き上げる作用を有する。これにより、吸水剤２３によるうがい液Ｌｉ１の吸水効率を高める。また、うがい液Ｌｉ１の量が少ない場合であっても、うがい液Ｌｉ１を吸水剤２３に確実に吸水させることができる。さらに、パック本体２１の外側から吸水剤２３及び発泡剤２４を手指で軽く摘むことで、吸水効率がさらに高まる。うがい液Ｌｉ１が固まった後は、開口部（符号省略）を閉じるようにパック２０を折り畳むことで、吸水剤２３をパック２０内に閉じ込めることができる。これにより、うがいを行った後のパック２０を、かばんやポケットに入れることができる。結果、パック２０は、使用後においても、コンパクトで携帯性に優れている。
【００２９】
このように、パック２０によれば、発泡剤２４による下からの発泡により、吸水剤２３によるうがい液Ｌｉ１の吸水効率が高められる。結果、うがい液Ｌｉ１が固まるまでの時間を短縮できる。
【００３０】
本発明は、上記実施形態に限られるものではなく、その趣旨及び技術思想を逸脱しない範囲で種々の変形が可能である。すなわち、上記実施形態において、各構成の位置、大きさ、長さ、形状、材質などは適宜変更できる。
【符号の説明】
【００３１】
１  携帯用うがい具
２０  パック（液体廃棄用容器）
２３  吸水剤
２４  発泡剤
２５  水溶紙
Ｌｉ１  うがい液
【図１】
2014121417.tif 000003
【図２】
2014121417.tif 000004
【図３】
2014121417.tif 000005
【図４】
2014121417.tif 000006